(57)【要約】【課題】着用者又は介護者が男性器に直接触れることなく、容易かつ衛生的に、男性器に装着することができる尿吸収物品を提供する。【解決手段】この採尿パッド１は、装着前の状態において、外側にトップシート３１が位置し、内側にバックシート３２が位置している。また、袋体１０の底部が内側へ折り込まれている。着用者又は介護者は、袋体１０の内部に手を差し込み、袋体１０の折り込み部１０ｂで男性器の先端を掴んだ後、袋体１０を裏返すことにより、男性器に採尿パッド１を装着することができる。このため、着用者又は介護者が男性器に直接触れることなく、容易かつ衛生的に、男性器に採尿パッド１を装着することができる。【選択図】図１
2010207298.tif 000002
【特許請求の範囲】
【請求項１】
男性器に装着されて男性器から排泄される尿を吸収する尿吸収物品であって、
外側面を構成する液透過性のトップシートと、内側面を構成する液不透過性のバックシートと、前記トップシート及び前記バックシートの間に介在する吸収体とを有し、その一部分に開口部が形成された袋体と、
前記袋体の前記開口部の近傍に設けられた伸縮部と、
を備え、
前記袋体の底部が、内側へ折り込まれていることを特徴とする尿吸収物品。
【請求項２】
請求項１に記載の尿吸収物品であって、
前記袋体は、前記トップシート、前記吸収体、及び前記バックシートが積層された略長方形状の積層体を折曲し、その両側辺をシールしたものであることを特徴とする尿吸収物品。
【請求項３】
請求項１又は請求項２に記載の尿吸収物品であって、
前記吸収体の前記底部近傍に位置する部分の厚みが、前記吸収体の他の部分の厚みよりも小さいことを特徴とする尿吸収物品。
【請求項４】
請求項３に記載の尿吸収物品であって、
前記吸収体の少なくとも前記底部近傍に位置する部分は、パルプ非存在の高分子吸収材料により構成されていることを特徴とする尿吸収物品。
【請求項５】
請求項１又は請求項２に記載の尿吸収物品であって、
前記袋体の前記底部近傍においては、前記トップシートと前記バックシートとの間に前記吸収体が介在しないことを特徴とする尿吸収物品。
【請求項６】
請求項１から請求項５までのいずれかに記載の尿吸収物品であって、
前記袋体に、前記開口部の縁から前記底部側へ向けて切れ込んだスリットが形成されていることを特徴とする尿吸収物品。
【請求項７】
請求項６に記載の尿吸収物品であって、
前記スリットは、前記開口部の縁から、前記伸縮部よりも前記底部側の位置までに亘って形成されていることを特徴とする尿吸収物品。
【請求項８】
請求項６又は請求項７に記載の尿吸収物品であって、
前記スリットは、前記開口部の縁から、前記吸収体よりも前記開口部側の位置までに亘って形成されていることを特徴とする尿吸収物品。
【請求項９】
請求項６から請求項８までのいずれかに記載の尿吸収物品であって、
男性器のサイズに応じて前記袋体の前記開口部を固定する固定部材を更に備え、
前記固定部材は、前記袋体の前記スリットの縁となる部分に設けられていることを特徴とする尿吸収物品。
【請求項１０】
請求項１から請求項９までのいずれかに記載の尿吸収物品であって、
前記伸縮部は、
複数本の第１弾性部材を、所定の間隔で配設した第１伸縮部と、
前記第１伸縮部よりも前記底部側において、複数本の第２弾性部材を、前記所定の間隔よりも大きい間隔で配設した第２伸縮部と、
を有することを特徴とする尿吸収物品。
【発明の詳細な説明】
【技術分野】
【０００１】
本発明は、男性器に装着されて男性器から排泄される尿を吸収する尿吸収物品に関する。
【背景技術】
【０００２】
従来、おむつや下着の内側で男性器に装着され、男性器から排泄される尿を吸収する採尿パッドが知られている。このような採尿パッドの一例として、特許文献１には、開口部を有する袋状に構成され、開口部を介して袋状体の内部に男性器を挿入するものが記載されている。
【先行技術文献】
【特許文献】
【０００３】
【特許文献１】特開２００４−１５９７２４号公報
【発明の概要】
【発明が解決しようとする課題】
【０００４】
従来の袋状の採尿パッドを男性器に装着するときには、着用者又は介護者が、採尿パッドの開口部を広げ、採尿パッドの中に男性器を挿入しなければならない。例えば、特許文献１に開示された採尿パッドでは、開口部の縁を掴んで開口部を開き、開口部が開いた状態を維持したまま、採尿パッドの中に男性器を挿入することとなる。このため、着用者又は介護者が男性器に触れることなく、採尿パッドを男性器に装着することは困難であった。
【０００５】
本発明は、このような事情に鑑みなされたものであり、着用者又は介護者が男性器に直接触れることなく、容易かつ衛生的に、男性器に装着することができる尿吸収物品を提供することを目的とする。
【課題を解決するための手段】
【０００６】
上記課題を解決するため、本願の第１発明は、男性器に装着されて男性器から排泄される尿を吸収する尿吸収物品であって、外側面を構成する液透過性のトップシートと、内側面を構成する液不透過性のバックシートと、前記トップシート及び前記バックシートの間に介在する吸収体とを有し、その一部分に開口部が形成された袋体と、前記袋体の前記開口部の近傍に設けられた伸縮部と、を備え、前記袋体の底部が、内側へ折り込まれていることを特徴とする。
【０００７】
本願の第２発明は、第１発明の尿吸収物品であって、前記袋体は、前記トップシート、前記吸収体、及び前記バックシートが積層された略長方形状の積層体を折曲し、その両側辺をシールしたものであることを特徴とする。
【０００８】
本願の第３発明は、第１発明又は第２発明の尿吸収物品であって、前記吸収体の前記底部近傍に位置する部分の厚みが、前記吸収体の他の部分の厚みよりも小さいことを特徴とする。
【０００９】
本願の第４発明は、第３発明の尿吸収物品であって、前記吸収体の少なくとも前記底部近傍に位置する部分は、パルプ非存在の高分子吸収材料により構成されていることを特徴とする。
【００１０】
本願の第５発明は、第１発明又は第２発明の尿吸収物品であって、前記袋体の前記底部近傍においては、前記トップシートと前記バックシートとの間に前記吸収体が介在しないことを特徴とする。
【００１１】
本願の第６発明は、第１発明から第５発明までのいずれかの尿吸収物品であって、前記袋体に、前記開口部の縁から前記底部側へ向けて切れ込んだスリットが形成されていることを特徴とする。
【００１２】
本願の第７発明は、第６発明の尿吸収物品であって、前記スリットは、前記開口部の縁から、前記伸縮部よりも前記底部側の位置までに亘って形成されていることを特徴とする。
【００１３】
本願の第８発明は、第６発明又は第７発明の尿吸収物品であって、前記スリットは、前記開口部の縁から、前記吸収体よりも前記開口部側の位置までに亘って形成されていることを特徴とする。
【００１４】
本願の第９発明は、第６発明から第８発明までのいずれかの尿吸収物品であって、男性器のサイズに応じて前記袋体の前記開口部を固定する固定部材を更に備え、前記固定部材は、前記袋体の前記スリットの縁となる部分に設けられていることを特徴とする。
【００１５】
本願の第１０発明は、第１発明から第９発明までのいずれかの尿吸収物品であって、前記伸縮部は、複数本の第１弾性部材を、所定の間隔で配設した第１伸縮部と、前記第１伸縮部よりも前記底部側において、複数本の第２弾性部材を、前記所定の間隔よりも大きい間隔で配設した第２伸縮部と、を有することを特徴とする。
【発明の効果】
【００１６】
本願の第１発明〜第１０発明によれば、着用者又は介護者は、袋体の内部に手を差し込み、袋体の内側へ折り込まれた部分で男性器の先端を掴んだ後、袋体を裏返すことにより、男性器に尿吸収物品を装着することができる。このため、着用者又は介護者が男性器に直接触れることなく、容易かつ衛生的に、男性器に尿吸収物品を装着することができる。
【００１７】
特に、本願の第２発明によれば、略長方形状の積層体から、袋体を容易に形成することができる。
【００１８】
特に、本願の第３発明によれば、袋体の底部近傍部分が他の部分よりも柔軟となるため、着用者又は介護者は、男性器の先端を容易に掴むことができる。また、底部近傍における吸収体の嵩張りが抑制されるため、袋体を容易に裏返すことができる。また、製造時には、袋体の底部を内側へ容易に折り込むことができる。
【００１９】
特に、本願の第４発明によれば、袋体の底部近傍部分における吸液性を確保しつつ、袋体の底部近傍部分の厚みを小さくすることができる。
【００２０】
特に、本願の第５発明によれば、袋体の底部近傍部分の厚みを、極めて小さくすることができる。
【００２１】
特に、本願の第６発明によれば、男性器に尿吸収物品を装着するときに、袋体を容易に裏返すことができる。
【００２２】
特に、本願の第７発明によれば、袋体を裏返す際の伸縮部の抵抗を抑制し、伸縮部を容易に裏返すことができる。
【００２３】
特に、本願の第８発明によれば、スリットを介して袋体の外部への尿が漏れ出すことを、防止することができる。
【００２４】
特に、本願の第９発明によれば、男性器のサイズに応じて開口部の大きさを調節し、男性器に対して尿吸収物品をしっかりと固定することができる。また、スリットを利用して、開口部の大きさを良好に調節することができる。
【００２５】
特に、本願の第１０発明によれば、第１伸縮部が、比較的大きな締め付け力をもって、着用者又は介護者の手首を、しっかりと固定することができる。また、第２伸縮部の締め付け力は比較的小さいため、着用者又は介護者は、手首に対して手の甲を比較的自由に屈伸させることができる。
【図面の簡単な説明】
【００２６】
【図１】採尿パッドの全体図である。
【図２】図１のII−II位置から見た採尿パッドの断面図である。
【図３】採尿パッドの展開図である。
【図４】固定部材を図１のIV位置から見た図である。
【図５】採尿パッドを装着するときの様子を示した断面図である。
【図６】採尿パッドを装着するときの様子を示した断面図である。
【図７】採尿パッドを装着した状態を示した斜視図である。
【発明を実施するための形態】
【００２７】
以下、本発明の好適な実施形態について、図面を参照しつつ説明する。
【００２８】
＜１．採尿パッドの構成＞
図１は、本発明の一実施形態に係る採尿パッド１の全体図である。また、図２は、図１のII−II位置から見た採尿パッド１の断面図である。この採尿パッド１は、男性器（ペニス）に装着されて男性器から排泄される尿を吸収する尿吸収物品である。着用者は、この採尿パッド１を装着し、その上におむつや下着を着用する。軽度の排尿であれば、おむつや下着を交換することなく、採尿パッド１のみを交換すれば済むため、着用者の経済的負担や介護者の介護負担が軽減される。
【００２９】
この採尿パッド１は、開口部１０ａを有する袋体１０として構成されている。図２に示したように、袋体１０は、その外側面を構成する液透過性のトップシート３１と、内側面を構成する液不透過性のバックシート３２と、両シート３１，３２の間に介在する吸収体３３とを有する。また、図１及び図２に示したように、袋体１０の底部（開口部１０ａの反対側の部分）は、内側へ折り込まれている。以下では、袋体１０の底部近傍において内側へ折り込まれた部分を「折り込み部１０ｂ」という。
【００３０】
袋体１０の開口部１０ａの近傍部分には、複数本の弾性部材３４ａ，３４ｂを有する伸縮部３４が設けられている。伸縮部３４は、７本の弾性部材３４ａを比較的小さい間隔で配設した第１伸縮部３４１と、第１伸縮部３４１より底部側において、２本の弾性部材３４ｂを比較的大きい間隔で配設した第２伸縮部３４２と、を有する。
【００３１】
なお、採尿パッド１は、男性器に装着されるときには、その表裏が反転するように裏返される。従って、男性器に装着された採尿パッド１は、トップシート３１が内側に位置し、バックシート３２が外側に位置した状態とされる（図６，図７参照）。採尿パッド１の着用者が袋体１０の内部に尿を排泄すると、当該尿は、トップシート３１を通過して、吸収体３３に吸収保持される。
【００３２】
図３は、採尿パッド１の展開図である。採尿パッド１は、トップシート３１、吸収体３３、及びバックシート３２をこの順に積層させた、略長方形状の積層体３０から形成される。
【００３３】
採尿パッド１を製造するときには、まず、積層体３０を、その長手方向の中央付近において幅方向にのびる折曲線Ｌ１を中心として、トップシート３１が内側となるように折曲する。そして、折曲された積層体３０の両側辺を、長手方向に熱シール等により封止し、両側部にシール部３５を有する袋体１０を形成する。なお、図３では、折曲後にシールされる部位が、ハッチングで示されている。
【００３４】
続いて、袋体１０を裏返すことにより、トップシート３１が外側に位置し、バックシート３２が内側に位置する状態とする。その後、一対の折曲線Ｌ２を境として、袋体１の底部を内側へ折り込む。これにより、袋体１０の底部に折り込み部１０ｂが形成され、図１及び図２の状態の採尿パッド１が得られる。
【００３５】
トップシート３１は、例えば、親水性繊維（セルロース、レーヨン、コットン等）を用いた不織布により構成される。また、トップシート３１は、疎水性繊維（ポリプロピレン、ポリエチレン、ポリエステル、ポリアミド、ナイロン等）の表面を界面活性剤により処理して液透過性とした不織布により構成されていてもよい。
【００３６】
バックシート３２は、例えば、疎水性繊維（ポリプロピレン、ポリエチレン、ポリエステル、ポリアミド、ナイロン等）を用いた撥水性の不織布により構成される。また、バックシート３２は、プラスチックフィルムや、不織布とプラスチックフィルムとの複合材料により構成されていてもよい。
【００３７】
吸収体３３は、折曲線Ｌ２と第２伸縮部３４２との間に位置する一対の第１吸収体３３１と、一対の第１吸収体３３１に挟まれた部分に位置する第２吸収体３３２とを有する。本実施形態では、第２吸収体３３２の厚みは、第１吸収体３３１の厚みよりも小さいため、第２吸収体３３２は、第１吸収体３３１よりも高い柔軟性を有する。
【００３８】
第１吸収体３３１は、例えば、粉砕したパルプ繊維やセルロース繊維などの親水性繊維集合層に、粒状の高分子吸収体を混合した塊を、ティッシュペーパーなどの紙シートまたは透液性不織布シートの被覆シートで被覆したものにより構成される。また、第１吸収体３３１は、トップシート３１とバックシート３２との間に接着剤により固定された、高吸収性ポリマーのシート状吸水体であってもよい。
【００３９】
一方、第２吸収体３３２は、例えば、トップシート３１とバックシート３２との間に介在させた多数の粒子状の高分子吸収材料により構成される。第２吸収体３３２は、粉砕されたパルプを含んでいてもよいが、パルプを含まない高分子吸収材料により構成されていれば、第２吸収体３３２をより薄型に構成することができる点で望ましい。
【００４０】
積層体３０の長手方向の両端部の近傍部分（第１吸収体３３１より開口部１０ａ側の部分）には、幅方向にのびる複数本の弾性部材３４ａ，３４ｂが設けられている。複数本の弾性部材３４ａ，３４ｂは、トップシート３１とバックシート３２との間に、自然長よりも伸長された状態で貼着されている。このため、複数本の弾性部材３４ａ，３４ｂは、開口部１０ａを縮めるように弾性力を発生させる。一方、採尿パッド１の着用者又は介護者は、弾性部材３４ａ，３４ｂの弾性力に抗して、開口部１０ａを広げることができる。
【００４１】
このように、複数本の弾性部材３４ａ，３４ｂは、積層体３０の開口部１０ａを伸縮させるための伸縮部３４（いわゆる、ギャザー）を構成する。各弾性部材３４ａ，３４ｂは、例えば、ポリウレタン糸、ポリウレタンフィルム、あるいは天然ゴムにより構成される。
【００４２】
また、図１及び図２に示したように、開口部１０ａの近傍部分には、袋体１０の内側から外側に亘って、開口部シート４０が貼着されている。開口部シート４０は、着用者の肌への当たりを和らげ、肌に対する刺激を低減させる役割を果たす。開口部シート４０は、比較的柔軟な繊維を用いた不織布により構成されることが好ましい。
【００４３】
また、図１に示したように、袋体１０には、開口部１０ａの縁から底部側へ向けて切れ込んだスリット１０ｃが形成されている。このため、男性器に採尿パッド１を装着するときに、袋体１０を裏返す作業を容易に行うことができる。特に、伸縮部３４は、収縮力を有するため、袋体１０を裏返す際に抵抗の大きい部分となる。本実施形態では、スリット１０ｃが、開口部１０ａの縁から、伸縮部３４の最も底部側の弾性部材３４ａよりも底部側の位置までに亘って形成されている。このため、袋体１０を裏返す際の伸縮部３４の抵抗を抑制し、伸縮部３４を容易に裏返すことができる。
【００４４】
また、本実施形態では、スリット１０ｃは、開口部１０ａの縁から、第１吸収体３３１よりも開口部１０ａ側の位置までに亘って形成されている。このため、スリット１０ｃを介して袋体１０の外部へ、尿が漏れ出すことを防止することができる。
【００４５】
また、袋体１０の開口部１０ａの近傍部分には、男性器のサイズに応じて開口部１０ａを固定する固定部材５０が設けられている。図１に示したように、固定部材５０は、袋体１０のスリット１０ｃの縁となる部分にその基端部が貼着された基材シート５１と、基材シート５１の他端部側に設けられた雄部材５２とを有する。雄部材５２は、例えば、多数のフックを有する面ファスナーにより構成されており、開口部シート４０の表面の任意の位置に対して着脱可能となっている。
【００４６】
図４は、固定部材５０を図１のIV位置から見た図である。図４に示したように、固定部材５０の基材シート５１は、二つ折りにされた１枚の不織布シートにより構成されている。そして、不織布シートの両端部が、表面側及び裏面側の開口部シート４０に、それぞれ貼着されている。このため、着用者又は介護者が基材シート５１を引っ張ったときにも、基材シート５１が開口部シート４０から剥がれにくいものとなっている。
【００４７】
＜２．採尿パッドの装着方法＞
続いて、採尿パッド１の装着方法について、図５〜図７を参照しつつ説明する。なお、装着前の採尿パッド１は、上述の通り、トップシート３１が外側に位置し、バックシート３２が内側に位置した状態となっている。
【００４８】
採尿パッド１を装着するときには、まず、着用者又は介護者は、開口部１０ａから袋体１０の内部に手を差し込む。袋体１０の内部に手が差し込まれると、図５に示したように、着用者又は介護者の手首の周囲に、第１伸縮部３４１が位置する。着用者又は介護者の手首は、第１伸縮部３４１の７本の弾性部材３４ａにより締め付けられる。これにより、手首が固定され、着用者又は介護者の手が袋体１０から抜けてしまうことが、防止される。
【００４９】
特に、第１伸縮部３４１の７本の弾性部材３４ａは、第２伸縮部３４１の２本の弾性部材３４ｂよりも、小さい間隔で配設されている。このため、第１伸縮部３４１は、比較的大きな締め付け力をもって、着用者又は介護者の手首を、しっかりと固定する。一方、手の甲の外側に位置する第２伸縮部３４２の締め付け力は比較的小さいため、着用者又は介護者は、手首に対して手の甲を、比較的自由に屈伸させることができる。
【００５０】
なお、第１伸縮部３４１及び第２伸縮部３４２を構成する弾性部材３４ａ，３４ｂの数は、本実施形態の例に限定されるものではない。また、第１伸縮部３４１を構成する複数本の弾性部材３４ａに代えて、１本の平板状の弾性部材が使用されていてもよい。
【００５１】
着用者又は介護者は、袋体１０の内部に差し込んだ手の親指と他の指とを引き離すことにより、袋体１０の折り込み部１０ｂを開く。すなわち、折り込み部１０ｂにおいて畳まれたバックシート３２同士を引き離すように、折り込み部１０ｂを展張させる。そして、着用者又は介護者は、男性器の先端に折り込み部１０ｂを接近させて、親指と他の指とを動かし、折り込み部１０ｂで男性器の先端を摘む。
【００５２】
続いて、着用者又は介護者は、図６に示したように、折り込み部１０ｂで男性器の先端を摘んだ状態のまま、袋体１０を裏返し、袋体１０の表裏を反転させる。上述の通り、袋体１０の開口部１０ａの近傍には、スリット１０ｃが形成されている。このため、着用者又は介護者は、袋体１０を容易に裏返すことができる。袋体１０を裏返すと、トップシート３１が袋体１０の内側に位置するとともに、バックシート３２が袋体１０の外側に位置し、当該袋体１０の内部に男性器が収容された状態となる。
【００５３】
また、袋体１０を裏返すと、男性器の根元付近を伸縮部３４が包囲する。このため、伸縮部３４が男性器の根元付近を締め付け、これにより、採尿パッド１が男性器に固定される。このように、本実施形態の伸縮部３４は、袋体１０の内部に挿入された手を固定する役割と、装着後に男性器に対して採尿パッド１を固定する役割と、の双方を果たす。
【００５４】
その後、着用者又は介護者は、図７に示したように、固定部材５０の雄部材５２を、開口部シート４０の適当な位置に固定する。これにより、男性器のサイズに応じて開口部１０ａの大きさを調節し、男性器に対して採尿パッド１をしっかりと固定する。特に、本実施形態の採尿パッド１は、開口部１０ａの近傍にスリット１０ｃを有し、スリット１０ｃの縁に固定部材５０が取り付けられている。このため、固定部材５０を引っ張ってスリット１０ｃの縁同士を重ねることにより、開口部１０ａの大きさを良好に調節することができる。
【００５５】
以上をもって、男性器に対する採尿パッド１の装着が完了する。
【００５６】
このように、本実施形態の装着前の採尿パッド１は、外側にトップシート３１が位置し、内側にバックシート３２が位置する状態となっており、更に、袋体１０の底部が内側へ折り込まれている。このため、着用者又は介護者は、袋体１０の内部に手を差し込み、袋体１０の折り込み部１０ｂで男性器の先端を掴んだ後、袋体１０を裏返すことにより、男性器に採尿パッド１を装着することができる。このため、着用者又は介護者が男性器に直接触れることなく、容易かつ衛生的に、男性器に採尿パッド１を装着することができる。
【００５７】
特に、本実施形態の採尿パッド１は、袋体１０の底部近傍に位置する第２吸収体３３２の厚みが、第１吸収体３３１の厚みよりも小さい。このため、袋体１０の折り込み部１０ｂが他の部分よりも柔軟となり、折り込み部１０ｂで男性器の先端を容易に摘むことができる。また、第２吸収体３３２の厚みが小さいことにより、折り込み部１０ｂの嵩張りが抑制されるため、袋体１０を容易に裏返すことができる。また、採尿パッド１の製造時には、袋体１０の底部を内側へ容易に折り込むことができる。
【００５８】
また、本実施形態では、着用前の採尿パッド１において、シール部３５が袋体１０の内側に収容されている。そして、着用後には、図７に示したように、シール部３５が袋体１０の外側に位置することとなる。このため、装着後にシール部３５が男性器に当たることが防止され、採尿パッド１の着用時の違和感が抑制される。
【００５９】
＜３．変形例＞
以上、本発明の一実施形態について説明したが、本発明は上記の実施形態に限定されるものではない。
【００６０】
上記の実施形態では、吸収体３３が、第１吸収体３３１及び第２吸収体３３２により構成されていたが、吸収体３３は、単一の吸収体により構成されていてもよい。但し、吸収体３３を単一の吸収体により構成する場合であっても、折り込み部１０ｂにおいて高い柔軟性を得るため、吸収体３３の底部近傍に位置する部分の厚みを、他の部分の厚みよりも小さくすることが望ましい。
【００６１】
また、袋体１０の底部近傍においては、トップシート３１とバックシート３２との間に吸収体が介在しないようにしてもよい。このようにすれば、袋体１０の底部近傍部分の厚みを、極めて小さくすることができる。
【００６２】
また、上記の実施形態では、固定部材５０の雄部材５２の例として、面ファスナーを挙げたが、雄部材５２は粘着テープであってもよい。また、開口部シート４０側に、雄部材５２を着脱可能に止着するループ部材やターゲットテープが設けられていてもよい。
【００６３】
また、上記の実施形態では、長方形状の積層体３０を折曲してその両側辺をシールすることにより、袋体１０が形成されていたが、袋体１０は、必ずしも長方形状の積層体３０を折曲したものでなくてもよい。例えば、複数枚の積層体を繋ぎ合わせて、袋体１０が構成されていてもよい。
【００６４】
また、上記の実施形態では、袋体１０にスリット１０ｃが形成されていたが、必ずしもスリット１０ｃが形成されている必要はない。例えば、スリット１０ｃを形成する代わりに、伸縮幅の大きい弾性部材３４ａ，３４ｂを使用して伸縮部３４を構成し、袋体１０を容易に裏返すことができるようにしてもよい。
【符号の説明】
【００６５】
１  採尿パッド
１０  袋体
１０ａ  開口部
１０ｂ  折り込み部
１０ｃ  スリット
３０  積層体
３１  トップシート
３２  バックシート
３３  吸収体
３３１  第１吸収体
３３２  第２吸収体
３４  伸縮部
３４１  第１伸縮部
３４２  第２伸縮部
３４ａ，３４ｂ  弾性部材
３５  シール部
４０  開口部シート
５０  固定部材
【図１】
2010207298.tif 000003
【図２】
2010207298.tif 000004
【図３】
2010207298.tif 000005
【図４】
2010207298.tif 000006
【図５】
2010207298.tif 000007
【図６】
2010207298.tif 000008
【図７】
2010207298.tif 000009